(57)【要約】【課題】薄型且つコンパクトで、基板等の端子部と導体に電気的に接続された端子とを、抜け落ちることなく、脱着可能に接続することができるコネクタおよびコネクタ構造体を提供する。【解決手段】基板と電気的に接続される突起状接続部を先端部に備え、少なくともボックス部およびスタビライザ部を備えた端子を水平方向に複数個並列配置した端子群が、突起状接続部が向かい合うように垂直方向に上下に配置された端子部と、一方の端部の概ね中央部に基板の一部が装着される基板受け入れ空洞部を備え、他方の端部に、基板受け入れ空洞部を挟み、端子群が相互に向かいあって上下に装着される、複数の端子受け入れ空洞部を備え、中央下部に間隙部を備えたコネクタハウジング部とを備え、基板受け入れ空洞部に装着された基板を、端子受け入れ空洞部に装着された前記端子群の対応する端子の突起状接続部が、上下から挟むように電気的に接続しているコネクタ。【選択図】図１
2010108620.tif 000002
【特許請求の範囲】
【請求項１】
基板と電気的に接続される突起状接続部を先端部に備え、少なくともボックス部およびスタビライザ部を備えた端子を水平方向に複数個並列配置した端子群が、前記突起状接続部が向かい合うように垂直方向に上下に配置された端子部と、
一方の端部の概ね中央部に基板の一部が装着される基板受け入れ空洞部を備え、
他方の端部に、前記基板受け入れ空洞部を挟み、前記端子群が相互に向かいあって上下に装着される、複数の端子受け入れ空洞部を備え、中央下部に間隙部を備えたコネクタハウジング部とを備え、
前記基板受け入れ空洞部に装着された前記基板を、前記端子受け入れ空洞部に装着された前記端子群の対応する前記端子の前記突起状接続部が、上下から挟むように電気的に接続しているコネクタ。
【請求項２】
前記端子部の前記突起状接続部が弾性接触部を備えて、前記基板を挟みこんでいる、請求項１に記載のコネクタ。
【請求項３】
前記ハウジングが、前記端子受け入れ空洞部に装着された前記端子群のそれぞれの端子を係止する１次係止部を備えている請求項１または２に記載のコネクタ。
【請求項４】
前記ハウジングの前記基板受け入れ空洞部の近傍に設けられて、前記１次係止部の係止を解除する治具受け入れ口を備えている、請求項３に記載のコネクタ。  
【請求項５】
前記間隙部に装着されて、一方の端子群の端子のそれぞれの前記ボックス部と他方の端子群の端子のそれぞれの前記スタビライザ部とに当接して、前記端子を前記コネクタハウジングに係止する部位を有する２次係止部材を備えた、請求項１から４の何れか１項に記載のコネクタ。
【請求項６】
前記２次係止部材は、前記端子挿入方向に直交する方向に延伸した複数の板状物からなっており、前記板状物が前記端子群の個々の端子に対応して配置され、上方に位置する前記端子群の端子の前記ボックス部に当接する上部係止部、および、下方に位置する前記端子群の端子の前記スタビライザに当接する下部係止部を備えている、請求項１から５の何れか１項に記載のコネクタ。
【請求項７】
前記２次係止部材を前記ハウジングの中央下部の前記間隙部に仮挿入した状態から、前記２次係止部材を垂直方向の上方に向かって移動させて挿入した状態で、前記上部係止部が上方に位置する前記端子群の端子の前記ボックス部を係止し、前記下部係止部が下方に位置する前記端子群の端子の前記スタビライザを係止する、請求項５に記載のコネクタ。
【請求項８】
前記２次係止部材を前記ハウジングに固定するために、前記２次係止部材の両側部が、前記ハウジングに係止される別の係止め部を備えている、請求項６に記載のコネクタ。
【請求項９】
電気的に接続される基板の一部に取り付けられて、請求項１から８の何れか１項に記載のコネクタが装着されるアダプタを備えたコネクタ構造体。
【請求項１０】
前記アダプタが前記基板の一部を挟持するように内部に垂直方向に形成された少なくとも１対のリブを備えている、請求項９に記載のコネクタ構造体。
【請求項１１】
前記アダプタの前記リブがそれぞれ前記ハウジングに設けられた対応する位置決めガイド溝に嵌合する、請求項１０に記載のコネクタ構造体。
【請求項１２】
基板の一部が装着される基板受け入れ空洞部、前記基板受け入れ空洞部を挟み、端子群が相互に向かいあって上下に装着される、端子受け入れ空洞部、および、中央下部に設けられた間隙部を備えたコネクタハウジング部の前記間隙部に、２次係止部材を仮挿入し、前記２次係止部材を前記間隙部に仮挿入した状態で、前記端子群を前記ハウジングの前記端子受け入れ空洞部に装着し、
前記２次係止部材を垂直方向の上方に向かって移動させて、前記２次係止部材を前記コネクタハウジング部に装着する、コネクタの組み立て方法。
【請求項１３】
上部係止部および下部係止部を備えた前記２次係止部材を垂直方向の上方に向かって移動させて、前記上部係止部が上方に位置する前記端子群の端子のボックス部を係止し、前記下部係止部が下方に位置する前記端子群の端子のスタビライザを係止する、請求項１２に記載のコネクタの組み立て方法。
【発明の詳細な説明】
【技術分野】
【０００１】
この発明は、複数の端子をコネクタハウジングに係止する、１次係止および２次係止を備えた電気コネクタに関し、特に装着された基板等の一部を上下から挟み込むように保持して、基板と導体に接続された端子とが電気的に接続される電気コネクタに関する。
【背景技術】
【０００２】
基板と導体に接続された端子とが電気的に接続される電気コネクタは、例えば、上壁と下壁の間を水平方向に設けられた１つの中間壁と、垂直方向に設けられた複数の隔壁とによって縦横に仕切られて、格子状に仕切られた複数の端子受け入れ空洞部が２段以上に形成されている。格子状に仕切られた複数の端子受け入れ空洞部のそれぞれに、導体に電気的に接続された端子が収納される。
【０００３】
電気コネクタにおいては、コネクタハウジングの端子受け入れ空洞部内に可とう性の係止部が一体的に形成された１次係止によって、端子受け入れ空洞部に装着された端子を係止して、端子が抜け落ちるのを防止している。更に、コネクタハウジングに、別部品である端子係止具を、２次係止として組み合わせて、１次係止としての可とう性の係止部と、２次係止としての端子係止具によって２重係止して、端子受け入れ空洞部から端子が抜け落ちるのを確実に防止している（特開平１１−２０４１８５号公報参照）。
【０００４】
更に、電気コネクタの他の形態として、基板が電気的に接続されるカードエッジターミナルが、用いられている。例えば、カードエッジターミナルは、電気的配線を圧着する圧着部と、基板を挟持する挟持部と、圧着部および挟持部とを接続するボックス部を備えている。圧着部は、電気的配線の導体部を圧着する部分と、電気的配線の皮膜部を圧着する部分とを備えている。挟持部は、基板の表裏面の電源パターンに付勢するとともに電気的に接続を行うバネ部分、バネ部分の付勢を受けた基板を支持する固定部を有している。これにより、基板がカードエッジターミナルの挟持部に嵌挿された場合、バネ部分が電源パターンと電気的に接続されることにより、電源パターンと圧着された電気的配線とが電気的に接続される（特開２００６−１６４７５７号公報参照）。
【特許文献１】特開平１１−２０４１８５号公報
【特許文献２】特開２００６−１６４７５７号公報
【発明の開示】
【発明が解決しようとする課題】
【０００５】
特開平１１−２０４１８５号公報に開示された電気コネクタにおいては、一方の端部に端子受け入れ空洞部が設けられ、個々の端子受け入れ空洞部の他方の端部（前端）に、相手側端子が挿入されるための小さな受け入れ口を備えている。従って、基板等の端子部への接続には対応することができない。特開２００６−１６４７５７号公報に開示されたコネクタは、基板等の端子部への接続に適しているが、コネクタハウジングに設けられた貫通孔に個々のカードエッジターミナルが装着される。即ち、個々のカードエッジターミナルが基板を挟み込む部材を備えている。従って、基板等の端子部の両面に電気的に接続するためには、もう一段の貫通孔およびカードエッジターミナルが必要であり、コネクタハウジングのサイズが大きくなってしまう。
【０００６】
従って、本発明の目的は、薄型且つコンパクトで、基板等の端子部と導体に電気的に接続された端子とを、抜け落ちることなく、脱着可能に接続することができるコネクタおよびコネクタ構造体を提供することにある。
【課題を解決するための手段】
【０００７】
上記の課題を解決する為に、コネクタハウジングの前端に設けられた基板受け入れ空洞部を挟み、基板と電気的に接続される突起状接続部を先端部に備えた端子を水平方向に複数個並列配置した端子群を、突起状接続部が向かい合うように垂直方向に上下に配置すると、基板の端子部と導体に接続された端子とを電気的に接続することができる。
【０００８】
更に、コネクタハウジングの中央下端部から２次係止部材を挿入すると、２次係止部材の上部係止部が上側の端子の所定部位と当接し、同時に２次係止部材の下部係止部が下側の端子の上側とは異なる部位に当接するので、端子がコネクタハウジングから抜け落ちることはない。
【０００９】
この発明のコネクタの第１の態様は、基板と電気的に接続される突起状接続部を先端部に備え、少なくともボックス部およびスタビライザ部を備えた端子を水平方向に複数個並列配置した端子群が、前記突起状接続部が向かい合うように垂直方向に上下に配置された端子部と、
一方の端部の概ね中央部に基板の一部が装着される基板受け入れ空洞部を備え、
他方の端部に、前記基板受け入れ空洞部を挟み、前記端子群が相互に向かいあって上下に装着される、複数の端子受け入れ空洞部を備え、中央下部に間隙部を備えたコネクタハウジング部とを備え、
前記基板受け入れ空洞部に装着された前記基板を、前記端子受け入れ空洞部に装着された前記端子群の対応する前記端子の前記突起状接続部が、上下から挟むように電気的に接続しているコネクタである。
【００１０】
この発明のコネクタの第２の態様は、前記端子部の前記突起状接続部が弾性接触部を備えて、前記基板を挟みこんでいるコネクタである。  
【００１１】
この発明のコネクタの第３の態様は、前記ハウジングが、前記端子受け入れ空洞部に装着された前記端子群のそれぞれの端子を係止する1次係止部を備えているコネクタである。  
【００１２】
この発明のコネクタの第４の態様は、前記ハウジングの前記基板受け入れ空洞部の近傍に設けられて、前記１次係止部の係止を解除する治具受け入れ口を備えているコネクタである。  
【００１３】
この発明のコネクタの第５の態様は、前記間隙部に装着されて、一方の端子群の端子のそれぞれの前記ボックス部と他方の端子群の端子のそれぞれの前記スタビライザ部とに当接して、前記端子を前記コネクタハウジングに係止する部位を有する２次係止部材を備えたコネクタである。    
【００１４】
この発明のコネクタの第６の態様は、前記２次係止部材が、前記端子挿入方向に直交する方向に延伸した複数の板状物からなっており、前記板状物が前記端子群の個々の端子に対応して配置され、上方に位置する前記端子群の端子の前記ボックス部に対応する上部係止部、および、下方に位置する前記端子群の端子の前記スタビライザに対応する下部係止部を備えているコネクタである。  
【００１５】
この発明のコネクタの第７の態様は、前記２次係止部材を前記ハウジングの中央下部の前記間隙部に仮挿入した状態から、前記２次係止部材を垂直方向の上方に向かって移動させて挿入した状態で、前記上部係止部が上方に位置する前記端子群の端子の前記ボックス部を係止し、前記下部係止部が下方に位置する前記端子群の端子の前記スタビライザを係止するコネクタである。  
【００１６】
この発明のコネクタの第８の態様は、前記２次係止部材を前記ハウジングに固定するために、前記２次係止部材の両側部が、前記ハウジングに係止される別の係止め部を備えているコネクタである。  
【００１７】
この発明のコネクタ構造体の第１の態様は、電気的に接続される基板の一部に取り付けられて、上述したコネクタが装着されるアダプタを備えたコネクタ構造体である。
【００１８】
この発明のコネクタ構造体の第２の態様は、前記アダプタが前記基板の一部を挟持するように内部に垂直方向に形成された少なくとも１対のリブを備えているコネクタ構造体である。
【００１９】
この発明のコネクタ構造体の第３の態様は、前記アダプタの前記リブがそれぞれ前記ハウジングに設けられた対応する位置決めガイド溝に嵌合するコネクタ構造体である。
【００２０】
この発明のコネクタの組み立て方法の第１の態様は、基板の一部が装着される基板受け入れ空洞部、前記基板受け入れ空洞部を挟み、端子群が相互に向かいあって上下に装着される、端子受け入れ空洞部、および、中央下部に設けられた間隙部を備えたコネクタハウジング部の前記間隙部に、２次係止部材を仮挿入し、
前記２次係止部材を前記間隙部に仮挿入した状態で、前記端子群を前記ハウジングの前記端子受け入れ空洞部に装着し、
前記２次係止部材を垂直方向の上方に向かって移動させて、前記２次係止部材を前記コネクタハウジング部に装着する、コネクタの組み立て方法である。
【００２１】
この発明のコネクタの組み立て方法の第２の態様は、上部係止部および下部係止部を備えた前記２次係止部材を垂直方向の上方に向かって移動させて、前記上部係止部が上方に位置する前記端子群の端子のボックス部を係止し、前記下部係止部が下方に位置する前記端子群の端子のスタビライザを係止する、コネクタの組み立て方法である。
【発明の効果】
【００２２】
この発明によると、一方の端部の概ね中央部に基板の一部が装着される基板受け入れ空洞部を備え、他方の端部に、基板受け入れ空洞部を挟み、端子群が相互に向かいあって上下に装着される、複数の端子受け入れ空洞部を備えたコネクタハウジング部を備えているので、基板等の端子部と導体に接続された端子とを電気的に接続することができる。端子は、先端部にそれぞれ基板と電気的に接続される突起状接続部を備え、端子部の突起状接続部が弾性接触部を備えて、基板を挟みこんでいるので、基板の係止および端子と基板との電気的接続を容易にすることができる。
【００２３】
更に、コネクタハウジングの中央下端部から、形の異なる上部係止部と下部係止部を有する２次係止部材を挿入すると、２次係止部材の上部係止部が上側の端子の所定部位と当接し、同時に２次係止部材の下部係止部が下側の端子の上側とは異なる部位に当接するので、端子がコネクタハウジングから抜け落ちることはない。
【発明を実施するための最良の形態】
【００２４】
この発明のコネクタおよびコネクタ構造体を、図面を参照しながら説明する。
この発明のコネクタの１つの態様は、端子部と、コネクタハウジングとを備えている。端子部は、基板と電気的に接続される突起状接続部を先端部に備え、少なくともボックス部およびスタビライザ部を備えた端子を水平方向に複数個並列配置した端子群が、突起状接続部が向かい合うように垂直方向に上下に配置されている。
【００２５】
コネクタハウジングは、一方の端部の概ね中央部に基板の一部が装着される基板受け入れ空洞部を備え、他方の端部に、基板受け入れ空洞部を挟み、端子群が相互に向かいあって上下に装着される、複数の端子受け入れ空洞部を備え、中央下部に間隙部を備えている。この発明の１つの態様においては、コネクタは、基板受け入れ空洞部に装着された基板を、端子受け入れ空洞部に装着された端子群の対応する端子の突起状接続部が、上下から挟むように電気的に接続している。
【００２６】
この発明の他の１つの態様において、間隙部に装着されて、一方の端子群の端子のそれぞれのボックス部と他方の端子群の端子のそれぞれのスタビライザ部とに当接して、端子をコネクタハウジングに係止する部位を有する２次係止部材を備えている。
【００２７】
図１は、この発明のコネクタを構成する部品を基板側から見た状態を示す斜視図である。図２は、この発明のコネクタを構成する部品を端子側から見た状態を示す斜視図である。図１および図２に示すように、この発明のコネクタ１は、端子部２、コネクタハウジング３、および、２次係止部材４を備えている。即ち、端子部２は、複数の端子が水平方向に並列に配置された端子群が垂直方向に上下に配置されて形成されている。
【００２８】
コネクタハウジング３は、一方の端部の概ね中央部に基板の一部が装着される基板受け入れ空洞部を備え、他方の端部に、基板受け入れ空洞部を挟み、端子群２が相互に向かいあって上下に装着される、複数の端子受け入れ空洞部を備え、中央下部に間隙部を備えている。２次係止部材は、コネクタハウジング３の間隙部に装着されて、一方の端子群の端子のそれぞれのボックス部と他方の端子群の端子のそれぞれのスタビライザ部とに当接して、端子をコネクタハウジングに係止する部位を有している。
【００２９】
図３は、端子部の端子を説明する図である。図３（ａ）は、端子の斜視図であり、図３（ｂ）は端子の側面図であり、図３（ｃ）は、端子の縦断面図である。個々の端子５は、図３（ａ）から図３（ｃ）に示すように、一方の端部（即ち、後端部）に導体の例えば被覆部を機械的にかしめて固定する導体固定部９、および、かしめて導体と電気的に接続する導体接続部１０を備えている。端子５は、他方の端部（即ち、先端部）に相手側端子である基板と電気的に接続する突起状接続部６を備えている。
【００３０】
突起状接続部６は、後述する対応する他の端子の突起状接続部と共に基板を挟み込み弾性接触部によってその固定状態を保持している。更に、端子５は、概ね中央部（即ち、２次係止部材４に対応する位置）の一方の側（図３の下側）に後述するコネクタハウジングへの挿入ガイド用のスタビライザ部７、他方の側（図３の上側）にボックス部８を備えている。
【００３１】
上述した端子５が、上述した突起状接続部を同一側に備えた状態で、水平方向に複数個並列に配置されて端子群１１（図１および図２を参照）を形成する。このように形成された端子群１１、１１が、端子の突起状接続部６が向かい合うように垂直方向に上下に配置されて、端子部２を形成する（図１および図２を参照）。
【００３２】
図４は、コネクタハウジングを説明する図である。図４（ａ）は、端子側から見たコネクタハウジングの斜視図であり、図４（ｂ）は、基板側から見たコネクタハウジングの斜視図である。図４（ａ）および図４（ｂ）に示すように、この態様のコネクタハウジング３においては、図３を参照して説明した端子５が収納される端子受け入れ空洞部１２−１、１２−２が、コネクタハウジング３の長軸方向に沿って概ねコネクタハウジングの全長にわたって形成されている。即ち、上側の端子群１１が収納される端子受け入れ空洞部１２−１には、端子５の突起状接続部６が下方を向いた状態で収納される。下側の端子群１１が収納される端子受け入れ空洞部１２−２には、端子５の突起状接続部６が上方を向いた状態で収納される。
【００３３】
図４（ａ）に示すように、端子受け入れ空洞部１２−１、１２−２は、断面概ね矩形で、端子の横断面に概ね対応した形状をしている。端子受け入れ空洞部１２−１の上壁面には、端子５の挿入をガイドするスタビライザ部７に対応した凹部が形成されて、端子受け入れ空洞部１２−２の底面には、端子５の挿入をガイドするスタビライザ部７に対応した凹部が形成されている。このように、端子受け入れ空洞部１２−１、１２−２は、端子群１１、１１が、端子の突起状接続部６が相互に向かい合って垂直方向に上下に配置されるように形成されている。
【００３４】
図４（ｂ）に示すように、コネクタハウジング３の端子側と反対側に位置する基板側の端部には、相手側の端子である基板の端子部が装着される基板受け入れ空洞部１３を備えている。基板受け入れ空洞部１３の上下部分には、端子５のコネクタハウジング３への１次係止を解除する、並列配置して設けられた複数の治具受け入れ口１５を備えている。治具受け入れ口１５は、各端子５の先端部に概ね対応する部位に位置している。
【００３５】
図４（ａ）および図４（ｂ）に示すように、コネクタハウジングの中央下部には、間隙部１４を備えている。間隙部１４は、後述する２次係止部材が嵌合されるサイズである。間隙部１４には、上方に装着される端子群１１の端子５のそれぞれのボックス部８と、下方に装着される端子群１１の端子５のそれぞれのスタビライザ部７とに当接して、端子５をコネクタハウジング３に係止する部位を有する２次係止部材が装着される。
【００３６】
図５は、２次係止部材を説明する図である。図５（ａ）は、２次係止部材の平面図、図５（ｂ）は、２次係止部材の正面図、図５（ｃ）および図５（ｄ）は２次係止部材の側面図、図５（ｅ）は、２次係止部材の裏面図、図５（ｆ）は、図５（ｂ）におけるＡ−Ａ断面図、図５（ｇ）は、図５（ｂ）におけるＢ−Ｂ断面図である。
【００３７】
上述したように、２次係止部材４は、コネクタハウジング３の間隙部１４に装着されて、上方に装着される端子群１１の端子５のそれぞれのボックス部８と、下方に装着される端子群１１の端子５のそれぞれのスタビライザ部７とに当接して、端子５をコネクタハウジング３に係止する部位（上部係止部１６、下部係止部１７）を有している。更に、図５（ｃ）および図５（ｄ）に示す側面部２０、２１の突起部２２が、コネクタハウジングの側面部に嵌合されて、２次係止部材４がコネクタハウジングに固定される。
【００３８】
図５（ａ）、図５（ｂ）および図５（ｆ）に示すように、２次係止部材は、上方に装着される端子群１１の端子５のそれぞれのボックス部８に当接して、ボックス部の後進を規制する上部係止部１６、および、下方に装着される端子群１１の端子５のそれぞれのスタビライザ部７に当接して、スタビライザ部の後進を規制する下部係止部１７を垂直方向に上下に備えている。
【００３９】
上部係止部１６は、図５（ｇ）に示すように、この態様では、一方の頂部が上方に突出して、ボックス部８に当接する部分が大きくなっている。上部係止部１６および下部係止部１７の相対位置は、相互に向かい合って配置される上下の端子のボックス部およびスタビライザ部の位置に対応している。なお、図５（ｂ）および図５（ｇ）に示すように、上部係止部１６および下部係止部１７の間には、端子が挿通される空間部１８が設けられている。
【００４０】
図６を参照して２次係止部材の係止状態を説明する。
図６は、２次係止部材の係止状態を説明する部分拡大断面図である。図６（ａ）は、端子側から見たコネクタハウジングの正面図である。図６（ｂ）は、図６（ａ）におけるＡ−Ａ断面図で、２次係止部材が端子に接触していない（即ち、係止していない）状態を示す部分拡大断面図である。図６（ｃ）は、図６（ａ）におけるＡ−Ａ断面図で、２次係止部材が挿入され、係止状態にあることを示す部分拡大断面図である。図６（ｄ）は、図６（ａ）におけるＢ−Ｂ断面図で、２次係止部材が端子に接触していない（即ち、係止していない）状態を示す部分拡大断面図である。図６（ｅ）は、図６（ａ）におけるＢ−Ｂ断面図で、２次係止部材が挿入され、係止状態にあることを示す部分拡大断面図である。
【００４１】
図６（ｆ）は、図６（ａ）におけるＣ−Ｃ断面図で、２次係止部材の両側端部がコネクタハウジングに係止していない状態を示す部分拡大断面図である。図６（ｅ）は、図６（ａ）におけるＣ−Ｃ断面図で、２次係止部材の両側端部がコネクタハウジングに係止された状態を示すＤ部分拡大断面図である。図６（ｈ）は、図６（ｃ）に示す○で囲んだＤに示す、係止状態にある２次係止部材の上部係止部１６の部分拡大断面図である。図６（ｉ）は、図６（ｃe）に示す○で囲んだＥに示す、係止状態にある２次係止部材の下部係止部１７の部分拡大断面図である。
【００４２】
図６（ｂ）に示すように、コネクタハウジング３に形成された端子受け入れ空洞部１２−１、１２−２には、それぞれの突起状接続部６が相互に向かい合うように端子５が配置される。突起状接続部６は、コネクタハウジングに設けられた基板受け入れ空洞部１３に装着された基板の端子部を挟むように固定して電気的に接続される。相互に向かい合って配置された端子５の突起状接続部６の反対側に位置する、コネクタハウジング３の内部に設けられた１次係止部２３が、突起状接続部６の基部２４を固定して、端子５をコネクタハウジング内に１次係止する。図４（ｂ）を参照して説明したように、基板受け入れ空洞部１３の上下部には、上述した１次係止を解除する治具受け入れ口１５が設けられている。
【００４３】
図６（ｂ）に示す状態は、コネクタハウジング３の中央下部に設けられた間隙部１４に２次係止部材４が仮挿入された状態である。図５（ｂ）を参照して説明した２次係止部材４の空間部１８に、下方に位置する端子群１１の各端子が挿通されている。２次係止部材の上部係止部１６は、コネクタハウジング３の端子受け入れ空洞部１２−１、１２−２の間を仕切る壁面部の、間隙部１４内に位置している。従って、この状態では、２次係止部材の上部係止部１６は、対象となる部位に接触していない。
【００４４】
同様に、２次係止部材の下部係止部１７は、一部がコネクタハウジング外に位置し、上端部はコネクタハウジングの底壁部の、間隙部内に位置している。従って、この状態では、２次係止部材の下部係止部１７は、対象となる部位に接触していない。上述したように、２次係止部材を間隙部に仮挿入した状態では、コネクタハウジング内に取り付けられた端子は、1次係止部によって係止され固定されているだけである。
【００４５】
図６（ｃ）に示す状態は、コネクタハウジング３の中央下部に設けられた間隙部１４に２次係止部材４が完全に挿入された状態である。２次係止部材は、図６（ｂ）に示された間隙部１４に仮挿入の状態から図６（ｃ）に示す間隙部１４に完全に挿入された状態に移動する。このとき、図６（ｈ）に拡大して示すように、２次係止部材の上部係止部１６は、コネクタハウジング３の端子受け入れ空洞部１２−１、１２−２の間を仕切る壁面部の、間隙部１４内の位置から上方に移動して、上側に位置する端子のボックス部８の後端部に当接する。従って、上側の端子は後進を規制される。
【００４６】
同時に、図６（ｉ）に示すように、２次係止部材の下部係止部１７は、一部がコネクタハウジング３外に位置し、上端部はコネクタハウジング３の底壁部の、間隙部内に位置している状態から上方に移動して、下側に位置する端子のスタビライザ部７に当接する。従って、下側の端子は後進を規制される。
このように、それぞれ側面に設けられた突起状接続部６が相互に向かい合って配置された２つの端子群１１の各端子５を、１つの２次係止部材４で、異なる箇所に当接して、各端子の後進を規制する。
【００４７】
図６（ｄ）および図６（ｅ）においても、上述したと同じ状況が生じる。なお、図６（ｄ）および図６（ｅ）に示すように、コネクタハウジング３の基板受け入れ空洞部１３に装着された基板の端子部は、突起状接続部６の凸部に対応する凹部を設けることによって、突起状接続部６の凸部が基板の端子部の対応する凹部に密接に嵌合され、これ自体で係止部を形成する。
【００４８】
上述したように、２次係止部材４の上部係止部１６、下部係止部１７が端子のボックス部８およびスタビライザ部７に係止し固定されている。更に、２次係止部材４は、両側端部がコネクタハウジング３に固定される。即ち、図６（ｆ）に示すように、２次係止部材４がコネクタハウジング３の間隙部に仮挿入された状態では、側面部２０の突起部２２が、コネクタハウジング３の側面部に嵌合されていない状態である。この状態から２次係止部材４がコネクタハウジング３の間隙部に完全に挿入された状態に移動する。即ち、側面部２０の突起部２２が、コネクタハウジング３の側面部の対応する突起部に嵌合されて、２次係止部材４がコネクタハウジング３に固定される。
【００４９】
図７は、この発明のコネクタ構造体の１つの態様を説明する分解図である。コネクタ構造体３０は、図１から図６を参照して説明したコネクタ１と、基板２５の一部に取り付けられてコネクタ１を基板の端子部２６に電気的に接続するアダプタ２７とを備えている。アダプタ２７は、コネクタ１と対応した形状からなり、コネクタ１の外周を全周にわたって覆うようにして、コネクタ１と嵌合される。基板２５の端子部２６の近傍に溝部２８が形成され、アダプタ２７の側壁部２９が、対応する溝部２８に装着される。アダプタ２７の側壁部２９の外周面に耳部３０が備えられて、基板に搭置されたアダプタ２７が位置決めされる。基板２５とアダプタ２７は例えばネジ等によって結合される。
【００５０】
図８は、基板２５の端子部の近傍に形成された溝部に、側壁部が装着されて固定されたアダプタを示す斜視図である。アダプタ２７の内壁部には、垂直方向に形成された基板の姿勢補正用のリブ３１が設けられている。リブ３１は、装着されたアダプタ２７が上下から基板を挟み込んで支える構造からなっている。更にリブ３１を活用して、コネクタハウジング３の外周部に対応するガイド溝部３２を形成してもよい。これによって、コネクタハウジング３の基板２５に対する相対位置を固定することができる。
【００５１】
この発明によると、薄型且つコンパクトで、基板等の端子部と導体に電気的に接続された端子とを、抜け落ちることなく、脱着可能に接続することができるコネクタおよびコネクタ構造体を提供することができる。
【図面の簡単な説明】
【００５２】
【図１】図１は、この発明のコネクタを構成する部品を基板側から見た状態を示す斜視図である。
【図２】図２は、この発明のコネクタを構成する部品を端子側から見た状態を示す斜視図である。
【図３】図３は、端子部の端子を説明する図である。図３（ａ）は、端子の斜視図であり、図３（ｂ）は端子の側面図であり、図３（ｃ）は、端子の縦断面図である。
【図４】図４は、コネクタハウジングを説明する図である。図４（ａ）は、端子側から見たコネクタハウジングの斜視図であり、図４（ｂ）は、基板側から見たコネクタハウジングの斜視図である。
【図５】図５は、２次係止部材を説明する図である。図５（ａ）は、２次係止部材の平面図、図５（ｂ）は、２次係止部材の正面図、図５（ｃ）および図５（ｄ）は２次係止部材の側面図、図５（ｅ）は、２次係止部材の裏面図、図５（ｆ）は、図５（ｂ）におけるＡ−Ａ断面図、図５（ｇ）は、図５（ｂ）におけるＢ−Ｂ断面図である。
【図６】図６は、２次係止部材の係止状態を説明する部分拡大断面図である。
【図７】図７は、この発明のコネクタ構造体の１つの態様を説明する分解図である。
【図８】図８は、基板２５の端子部の近傍に形成された溝部に、側壁部が装着されて固定されたアダプタを示す斜視図である。
【符号の説明】
【００５３】
１  コネクタ  
２  端子部
３  コネクタハウジング
４  ２次係止部材
５  端子
６  突起状接続部
７  スタビライザ部
８  ボックス部
９  導体固定部
１０  導体接続部
１１  端子群
１２  端子受け入れ空洞部
１３  基板受け入れ空洞部
１４  間隙部
１５  治具受け入れ口
１６  上部係止部
１７  下部係止部
１８  空間部
２３  １次係止部
２５  基板
２６  基板の端子部
２７  アダプタ
【図１】
2010108620.tif 000003
【図２】
2010108620.tif 000004
【図３】
2010108620.tif 000005
【図４】
2010108620.tif 000006
【図５】
2010108620.tif 000007
【図６】
2010108620.tif 000008
【図７】
2010108620.tif 000009
【図８】
2010108620.tif 000010